(57)【特許請求の範囲】
【請求項１】
２枚の支持板と配線又はホースを巻き取る巻取り部を有し、前記支持板の一方は、中心から放射方向に向け設置してあるスライドバー受け具を有し、前記巻取り部は可動板とスライドバー部を有し、前記スライドバー部は、一端に前記スライドバー受け具の溝に嵌って自由にスライドするためのスライドピンを、他端に前記可動板に対して自由な角度で回転可能に保持された回転保持部とを有し、前記スライドピンがスライドすることで前記２枚の支持板の間隔が変わる折りたたみ構造を有し、前記スライドバーが前記配線又はホースの巻き取りに使用されることを特徴とする配線又はホース束ね具。
【請求項２】
前記スライドバー受け具の前記溝の一端に前記スライドピンが嵌り固定されるためのスライドピン固定溝を有することを特徴とする請求項１記載の配線又はホース束ね具。
【請求項３】
前記支持板の他方は、前記可動板とは取り外し・取り付け自在であることを特徴とする請求項１又は請求項２記載の配線又はホース束ね具。
【請求項４】
前記スライドピン側に円形の回転板を有し、前記回転板は、前記支持板の一方についた前記スライドバー受け具に延長して向き合って付設した他のスライドバー受け具を有することで、前記スライドバー受け具の両者間で前記スライドピンを受け渡しできるようにして、前記巻取り部を前記２枚の支持板に対して回転できるようにしたことを特徴とする請求項１から請求項３のいずれか一つに記載の配線又はホース束ね具。
【請求項５】
前記可動板又は前記回転板は回転ハンドルを有することを特徴とする請求項４記載の配線又はホース束ね具。
【請求項６】
前記支持板は、フックなどに掛ける掛け具又は地面に置いたときに足を有することを特徴とする請求項１から請求項５のいずれか一つに記載の配線又はホース束ね具。
【請求項７】
前記支持板の外形は、円形、三角形、四角形、五角形、六角形のいずれかであることを特徴とする請求項１から請求項６のいずれか一つに記載の配線又はホース束ね具。
【請求項８】
前記支持板の外周は、曲面体かパイプで縁取りされていることを特徴とする請求項１から請求項７のいずれか一つに記載の配線又はホース束ね具。
【請求項９】
前記支持板は、軽量化のために材料を抜いた部分を有することを特徴とする請求項１から請求項８のいずれか一つに記載の配線又はホース束ね具。
【発明の詳細な説明】
【技術分野】
【０００１】
本発明は、電線（電気コード）、ワイヤ、ケーブルなどの配線又は水、エアのホースの余長部分を束ねて整理するための配線又はホース束ね具に関するものである。
【背景技術】
【０００２】
工事現場などでは、電線やエアのホースなどの余長部分が地面の上を色々な方向に這い回り、又は絡みあっていることが多く見受けられ、作業者の通行を妨げたり、作業者が躓いたり、絡みにより面倒な作業が増えたりしている。このような現場では、余長部分を整理整頓することが安全作業の見地から求められて来ていて、従来から、余長部分の整理具が提案されている。図５は、従来から提案された余長部分の整理具の例を示す図である。大きく分類して、３通りのものがあり、１つ目は、５−Ａ（特許文献１）、５−Ｂ（特許文献２）にあるように、平板状で余長部分を絡める形状のものであり、５−Ａでの欠点は、余長部分の絡んだ状態の形状が定まらない。余長部分が外れやすい。絡み又は束ね量が小さいことである。５−Ｂでの欠点は、束ね量が小さいことである。２つ目は、５−Ｃ（特許文献３）、５−Ｅ（特許文献４）に有るように、開空間型のドラム状でドラムに余長部分を巻くようになっている。５−Ｅのものは、通常の電動コードリールなので、この提案で言う余長部分の整理具とは応用目的が違っている。電動コードリールでは、コードそのものがリールと一体であり、コンセントの差込部がリール本体に付いていて、コードが接続され、分離することが出来ない。一方、余長部分の束ね具は、束ね具と分離された余長部分を絡めるものであり、配線部分とは別に束ね具が持ち運びされるものであることである。
そのため、電動コードリールは、コードが常に一体に備えてあるので、一定の形状と大きさを有している。束ね具が持ち運びの利便性から、軽く、一定の形状を有さない方が簡易に持ち運び可能である。これらのドラム状の欠点は、５−Ｃ、５−Ｅでは、形状が不変で大きく運搬が不便であること。余長部分を外す場合には、巻いたものを戻す必要があり、不便であること（簡単には外しにくい）。戻した余長部分が絡む心配があることである。３つ目は、５−Ｄ（特許文献５）に有るように、閉空間のリール状の物である。中心の回転部を回すことでコードそのものが内部にまかれるようになっているが、これも電動コードリールと同様にコードが分離されることは難しい。この欠点としては、開空間型のドラム状のものと同じ欠点を有している。
【特許文献１】特開平９−２８０４８２
【特許文献２】特開２００２−２３８１２０
【特許文献３】特開平９−１４９５３５
【特許文献４】特開２００２−２２６１４３
【特許文献５】特開平５−８５６７３
【発明の開示】
【発明が解決しようとする課題】
【０００３】
上記のような事情から、解決しようとする課題は、配線又はホース等とは別体に分離して持ち運びでき、持ち運びに便利なように束ね量が大きくとれ、軽く、小さく折りたたみでき、配線又はホース等の取り付け、取り外し、巻き取りが容易である電線（電気コード）、ワイヤ、ケーブルなどの配線又は水、エアのホースの余長部分を束ねて整理する配線又はホース束ね具を提供することである。
【課題を解決するための手段】
【０００４】
上記の課題を解決するための手段として、本発明による配線又はホース束ね具は、配線又はホースを巻き取るための巻き取り部を有し、この巻取り部は、折りたたみにより小さく収容でき、巻き取り部を支持する支持板が外せることで、配線又はホースの取り付け、取り外しが容易であり、更に巻取り部が支持板に対して自由に回転できることで、巻き取りを容易にしたものであり、以下、請求項に沿って説明する。
【０００５】
請求項１記載の発明は、配線又はホース束ね具であって、２枚の支持板と配線又はホースを巻き取る巻取り部を有し、前記支持板の一方は、中心から放射方向に向け設置してあるスライドバー受け具を有し、前記巻取り部は可動板とスライドバー部を有し、前記スライドバー部は、一端に前記スライドバー受け具の溝に嵌って自由にスライドするためのスライドピンを、他端に前記可動板に対して自由な角度で回転可能に保持された回転保持部とを有し、前記スライドピンがスライドすることで前記２枚の支持板の間隔が変わる折りたたみ構造を有し、前記スライドバーが前記配線又はホースの巻き取りに使用されることを特徴とする。これにより、折りたたみ構造の配線又はホース束ね具を実現できる。
【０００６】
請求項２記載の発明は、請求項１記載の配線又はホース束ね具において、前記スライドバー受け具の前記溝の一端に前記スライドピンが嵌り固定されるためのスライドピン固定溝を有することを特徴とする。これにより、使用状態で巻取り部を固定できる。
【０００７】
請求項３記載の発明は、請求項１又は請求項２記載の配線又はホース束ね具において、前記支持板の他方は、前記可動板とは取り外し・取り付け自在であることを特徴とする。これにより、配線又はホースの取り付け・取り外しが簡単に出来る。
【０００８】
請求項４記載の発明は、請求項１から請求項３のいずれか一つに記載の配線又はホース束ね具において、前記スライドピン側に円形の回転板を有し、前記回転板は、前記支持板の一方についた前記スライドバー受け具に延長して向き合って付設した他のスライドバー受け具を有することで、前記スライドバー受け具の両者間で前記スライドピンを受け渡しできるようにして、前記巻取り部を前記２枚の支持板に対して回転できるようにしたことを特徴とする。これにより、巻取り部の回転が可能となる。
【０００９】
請求項５記載の発明は、請求項４記載の配線又はホース束ね具において、前記可動板又は前記回転板は回転ハンドルを有することを特徴とする。これにより、巻取り部の回転が容易になる。
【００１０】
請求項６記載の発明は、請求項１から請求項５のいずれか一つに記載の配線又はホース束ね具において、前記支持板は、フックなどに掛ける掛け具又は地面に置いたときに足を有することを特徴とする。これにより、整理したイメージで使用できる。
【００１１】
請求項７記載の発明は、請求項１から請求項６のいずれか一つに記載の配線又はホース束ね具において、前記支持板の外形は、円形、三角形、四角形、五角形、六角形のいずれかであることを特徴とする。これにより色々な形の配線又はホース束ね具が実現できる。
【００１２】
請求項８記載の発明は、請求項１から請求項７のいずれか一つに記載の配線又はホース束ね具において、前記支持板の外周は、曲面体かパイプで縁取りされていることを特徴とする。これにより使用状の安全が図れる。
【００１３】
請求項９記載の発明は、請求項１から請求項８のいずれか一つに記載の配線又はホース束ね具において、前記支持板は、軽量化のために材料を抜いた部分を有することを特徴とする。これにより、配線又はホース束ね具を軽量に構成でき、持ち運びに好都合となる。
【発明の効果】
【００１４】
以上のように構成されているので、本発明による配線又はホース束ね具は、以下の効果がある。配線又はホースとは、別体に分離できる。折りたたみにより小さく収容できる。巻き取り部を支持する支持板が外せることで、配線又はホースの取り付け、取り外しが容易である。巻取り部が支持板に対して自由に回転できることで、巻き取りが容易である。
【発明を実施するための最良の形態】
【００１５】
本発明による配線又はホース束ね具は、配線又はホースを巻き取るための巻き取り部とこれを支える２枚の支持板を有し、この巻取り部は、折りたたみにより小さく収容でき、巻き取り部を支持する支持板が外せることで、配線又はホースの取り付け、取り外しが容易であり、更に巻取り部が支持板に対して自由に回転できるようになっている。以下、実施例を用い本発明の提案を説明する。
【００１６】
図１は、本発明による配線又はホース束ね具の１実施態様を示す図である。配線又はホース束ね具は、点線で囲みの中に示したように３つの部分を有している。２枚の支持板１０１、１０２と、折り畳みできる巻取り部１０３である。支持板１０２は、配線又はホース束ね具全体の構造（骨組み）を決めるもので、この例では、支持板外形部１０４が略三角形であり、中心に円形の穴部１０５を有する平板状の支持板１０２となっている。支持板１０２の外形周辺は、曲面体かパイプで縁取りされている方が持ち運びや安全の見地から好ましい。又、この例のように、支持板１０２は、適度に材料を抜いた部分１０６を作った方が、軽く構成できるので、持ち運びの観点から好ましい。支持板１０１は、支持板１０２と同じであるが、違いを述べると、この例では、円形の穴部１０７は、有っても無くともよい。スライドバー受け具１０８が中心から放射方向に向け設置してある。巻取り部１０３は、スライドバー部１０９とこれを自由自在に保持した可動板１１０を有している。スライドバー部１０９は、先端にスライドピン１１１を持っていて、これは、スライドバー受け具１０８の溝に嵌っていて、自由にスライドする。スライドバー部１０９の他の端は、スライドバー部１０９が可動板１１０に対して自由な角度となるように回転自在に付いた回転保持部１１５を有している。従って、スライドピン１１１が移動すると可動板１１０とスライドバー受け具１０８側との間隔を変わるようになっている。可動版１１０には、支持板１０２の穴部１０５が嵌って、固定される。尚、穴部１０５と、可動板１１０は必ずしも円形である必要はない。互いのはめ込みをする場合は、同一形状でよいし、重ねあわせの場合は同一形状でなくともよい。又はめ込みで回転をさせる場合はこの例のように円形である方がよい。
【００１７】
図２は、本発明による配線又はホース束ね具のスライドバー部と可動板とスライドバー受け具の動作を説明する図である。
２−Ａは、スライドピン１１１がスライドバー受け具１０８の溝に沿って左側にスライドしている状態のため、可動板１１０がスライドバー受け具１０８に近づいている。従って、支持板１０２が支持板１０１に重なった折りたたみ状態になっている。２−Ｂは、スライドピン１１１がスライドバー受け具１０８の溝に沿って右側の端にスライドしている状態のため、可動板１１０がスライドバー受け具１０８から最も離れた状態で、スライドバー部１０９が可動板１１０やスライドバー受け具１０８とは直角の配置をしている。更に好ましくは、点線で示すスライドピン固定溝１１２にスライドピン１１１が落ち込んで固定され、状態が安定に保持されている。この状態は、折りたたみ状態を解除して、使用できる状態となっている。尚、使用できる状態から折りたたみ状態にするには、スライドバー１０９を軽く引いてスライドピン１１１をスライドピン固定溝１１２から外して、僅かに左にスライドさせるようにすればよい。又、スライドピン固定溝１１２は、全部のスライドバー受け具１０８に各々付いている必要はない。
【００１８】
図３は、本発明による配線又はホース束ね具の折りたたみ状態と使用できる状態を示す図である。３−Ａは、使用できる状態を示し、３−Ｂは、折りたたみ状態を示している。折りたたみ状態では小さくなり持ち運びに便利である。折りたたみ状態からワンタッチで使用できる状態にできる。使用できる状態において、支持板１０２を可動板１１０から外すと、支持板１０２のみ外した状態が実現でき、内部に巻かれた配線又はホースを一度に外したり、巻かれたものをはめ込んだり容易になり大変使い勝手がよい。
【００１９】
図４は、本発明による配線又はホース束ね具の別の実施態様を示す図である。２枚の支持板１０１、１０２は、図１と同じであるが、支持板１０１にも円形の穴部１０５Ｂがあり、更に、巻取り部１０３にはスライドピン１１１をスライド自在に保持したスライドバー受け具１０８Bがあり、支持板１０１側のスライドバー受け具１０８と向き合って、スライドピン１１１がスライドバー受け具の両者間で受け渡しできるようになっている。スライドバー受け具１０８Bは円形の回転板１１３についているので、回転板１１３が支持板１０１の円形の穴部１０５Ｂに回転自在にはめ込まれ、使用状態では、巻取り部１０３は、二つの支持板１０１、１０２に対して回転し、巻き取り巻き戻しが容易になる。尚、図のように、巻き取りハンドル１１４があると便利である。
【００２０】
尚、以上の説明では、配線又はホース束ね具の外形は、三角形のものであったが、円形、四角形、その他の多角形など他の形でもよい。又、支持板にフックなどに掛ける掛け具や、地面に置いたときに足になるものを付設すると便利である。
【産業上の利用可能性】
【００２１】
以上の様に、本発明による配線又はホース束ね具は、配線又はホースとは、別体に分離でき、軽量で折りたたみにより小さく収容でき持ち運びが容易であり、巻き取り部を支持する支持板が外せることで、配線又はホースの取り付け、取り外しが容易であり、巻取り部が支持板に対して自由に回転でき、巻き取りが容易であるなど作業現場などで利用して好都合であるので、産業上大きな利用性を有している。
【図面の簡単な説明】
【００２２】
【図１】本発明による配線又はホース束ね具の１実施態様を示す図である
【図２】本発明による配線又はホース束ね具のスライドバー部と可動板とスライドバー受け具の動作を説明する図である。
【図３】本発明による配線又はホース束ね具の折りたたみ状態と使用できる状態を示す図である。
【図４】本発明による配線又はホース束ね具の別の実施態様を示す図である。
【図５】従来から提案された余長部分の整理具の例を示す図である。
【符号の説明】
【００２３】
１０１、１０２  支持板
１０３  巻取り部
１０４  支持板外形部
１０５、１０５Ｂ、１０７  穴部
１０６  材料を抜いた部分
１０８、１０８Ｂ  スライドバー受け具
１０９  スライドバー部
１１０  可動板
１１１  スライドピン
１１２  スライドピン固定溝
１１３  回転板
１１４  巻き取りハンドル
１１５  回転保持部
【図１】
0005137022.tif 000002
【図２】
0005137022.tif 000003
【図３】
0005137022.tif 000004
【図４】
0005137022.tif 000005
【図５】
0005137022.tif 000006